(57)【要約】【課題】    吹き筒内部の風受けの接触で飛翔方向が接触方向に曲がってしまう欠点を解決し、矢をまっすぐに飛ばす。【解決手段】  棒状の矢の終端を、風受けの末端よりも僅かに押し棒として突き出させて、矢の後部に設置した角錐状の中空風受けの進行方向に対し、同一角度で斜めに傾いた２対の回転羽根を形成した角錐状の回転風受けを密着させて設置し、矢を回転させて、吹き筒内壁との接触部を偏らせずに矢をまっすぐに飛ばす、修練を積まなくても的中率を高められる回転矢とした。【選択図】図１０
0003131584.tif 000002
【実用新案登録請求の範囲】
【請求項１】
吹き筒内に矢を押し込んで吹き口への矢の引っかかりを防止するために、棒状の矢の終端を、風受けの末端よりも僅かに押し棒として突き出させて、矢の後部に設置した角錐状の中空風受けの進行方向に対し、同一角度で斜めに傾いた２対の回転羽根を形成した角錐状の回転風受けを密着させて設置し、矢を回転させて吹き筒内壁との接触部を偏らせずに矢をまっすぐに飛ばすことを特徴とする回転矢。
【考案の詳細な説明】
【技術分野】
【０００１】  本考案は、回転しながら飛翔する吹矢の矢に関するものである。
【背景技術】
【０００２】  スポーツとしての吹矢が普及しているが、日本国内では、プラスチック薄膜などで出来た円錐形の筒の先端にクギのような錘を備えた矢が主であり、国外では、直線ワイヤーの終端に、吹き筒内径よりも僅かに小さい直径の固形の風受けを付けたものが主であった。これらは、共に、矢を的に的中させる的中率を高めるには、吹き筒に吹き込む息の強さやタイミングを、修練によって掴まなければならなかった。【０００３】  新たな吹矢の矢としては、実開昭６３−８０４９７で、弓矢の矢と吹矢の矢のどちらにも技術を応用できる羽根付飛翔体が公開されているが、合成樹脂フィルムで形成した円錐状翼部に、軸方向の山折りと谷折りの折り目を均等に設けて出来た径方向に開閉する翼部により、空気の流れを整流して飛翔させ、弓矢としても、吹矢としても使用出来ることを特徴としていたが、弓矢としての使用は別として、吹矢としての使用には、従来の円錐形の矢と同様な欠点がある。吹き筒内で吹き込まれた息を後方から受けた場合、翼部は円錐状に膨らむものとしているが、吹矢の矢では、円錐状の翼部が吹き筒内壁と接触した場合、その接触した方向に曲がって飛翔するので、的中率は従来の矢と大差はない。
【考案の開示】
【考案が解決しようとする課題】
【０００４】  吹き筒内部の風受けの接触で飛翔方向が接触方向に曲がってしまう欠点を解決し、矢を狙い通りにまっすぐに飛翔させようとするものである。
【課題を解決するための手段】
【０００５】  本考案は、吹き筒内に矢を押し込んで吹き口への矢の引っかかりを防止するために、棒状の矢の終端を、風受けの末端よりも僅かに押し棒として突き出させて、矢の後部に設置した角錐状の中空風受けの進行方向に対し、同一角度で斜めに傾いた２対の回転羽根を形成した角錐状の回転風受けを密着させて設置し、矢を回転させて吹き筒内壁との接触部を偏らせず、矢をまっすぐに発射し、回転羽根が切る風によって、飛翔の間も、向かい風によって矢を回転させることで、矢が特定の方向に曲がって発射される問題点を解決した。
【考案の効果】
【０００６】  上述のように、本考案の回転矢は、矢の終端に押し棒を持っているため、吹き筒入り口に風受けの一部が引っかかり、呼吸器に悪影響を及ぼす無理な吹き込みをしてしまうことを防止でき、風受けに回転羽根を備えているために、吹き筒内部を進行する間も矢が回転し、吹き筒内壁との接触が一方向に偏らないので、矢を発射する時に特定の方向に曲がらず、飛翔する間も向かい風によって矢が回転するので、矢をまっすぐに飛翔させることが出来、習熟の別を問わず、誰でも、的中率を上げることに役立つ。
【考案を実施するための最良の形態】
【０００７】  本考案の回転矢を使用するには、矢の装填の時、押し棒を指で押して、風受けの末端を、完全に吹き筒の内部に押し込んでから、後は、従来の矢の使用と同様に、的に向かって狙いを付けて一気に息を吹き込むだけで、矢はまっすぐに飛ぶ。
【実施例】
【０００８】  以下、添付図面に従って実施例を説明する。図１は完成した回転矢であり、矢１の後部に角錐状の中空風受け３と同一角度で斜めに傾いた２対の回転羽根４を形成した角錐状の回転風受け５を重ね合わせて取り付け、矢１の終端を、押し棒２として、僅かに風受け３の末端よりも突き出した形状となっている。図２は、風受け３の斜視図であり、その断面は正四角形であり、風受け３全体は、中空四角錐の形状である。図３は、矢１と風受け３の取付位置を示す斜視図であり、風受け３の末端よりも矢１の終端を僅かに突き出して取り付ける位置を示している。図４は、回転風受け５を示す斜視図であり、回転羽根４を形成するための切り込み７と折り線６を示す図である。図５は、図４で示す切り込み７と折り線６によって回転羽根４を起立させた状態を示す図である。図６は、風受け３の付いた矢１に回転羽根４を起立させた回転風受け５の組付けを示す図である。矢１の先端から回転風受け５を挿し込み、既に取り付けてある風受け３に密着するまで送り、貼り付けることで、回転矢は完成する。本考案の回転矢は、このような構造の組合せからなる。【０００９】  図７は、一般的な円錐矢の吹き筒内壁への接触と、接触することにより矢の飛翔軌跡が曲がる方向を示す吹き筒断面図である。風受けの接触部が吹き筒内壁との摩擦抵抗により引かれるため、矢１が吹き筒８から発射される方向は、接触部９が左にあれば曲がり方向１０は左となり、接触部９が上にあれば矢の曲がり方向１０は上に向き、接触部９が右にあれば曲がり方向１０は右となり、接触部９が下にあれば曲がり方向１０は下になる。【００１０】  図８は、回転矢の回転を示す正面図であり、回転羽根４が風車の役目をして向かい風を受け回転矢全体を回転方向１１に回転させる。図９は、回転矢の吹き筒内での様子を示す断面図であり、角錐形状の風受け３は吹き筒８内部での息吹に押されて進む時の形状は、図に示すように、角錐が膨らみ円錐に近い形状となるも、完璧な円錐にならずに角錐の４つ角だけが内壁に接触することになる。又、四枚の回転羽根４の先端も吹き筒内壁に接触し、全部で８点の接触部になるが、回転羽根４が空気を切ることにより、吹き筒内部を、矢１が回転方向１１に回転しながら進む。すると、図１０に示すように、矢１は、回転しながら吹き筒８から発射され、吹き筒８から出てからは、回転羽根４が向かい風を受け、回転方向１１に矢１を回転し続ける。従って、矢１の飛翔軌跡が特定の方向に曲がることがなく、的中率が向上する。【００１１】  図１１は、一般的な円錐状の矢１を装填した吹き筒断面図であるが、矢１を確実に装填したつもりでも、吹き筒８の入り口に矢１の終端が引っかかっていて、強く吹いた息が抜けることが出来ず、呼吸器を痛めることがある。図１２は、引っかかり防止を考慮したタイプの一体成型品の円錐状の矢１であるが、引っかかりは無くなるものの、一体成型品とすることにより、矢の製造コストが高くなる欠点が生ずる。【００１２】  図１３は、本考案の、回転矢の装填を示す吹き筒断面図であるが、矢１の終端部が僅かに風受け末端よりも突き出ているので、吹き筒８内部の完璧に引っかかりの生じない部分まで押し込むことが出来て安全に吹矢が出来��メリットがある。又、矢の終端部の円周の一部が接触する従来の円錐状の矢に比較し、図９に示すように、風受け３末端のの４つ角と回転羽根４の４つの先端との合計８点が、吹き筒８内壁への接触部９となるため、矢の滑落を防ぐ働きもあり、図１３に示すように、吹き筒８内部で矢１を吹き筒８と平行に保持する働きもあり、吹き筒８内をまっすぐに進ませる利点となる。
【産業上の利用可能性】
【００１３】  吹矢は、腹式呼吸と胸式呼吸の両方を使い、健康増進や、精神集中力を高める効果が有り、スポーツとして普及されてはいるものの、従来の矢では、吹矢は３分で始められるが、習得には１年以上を必要とすると言われるほど、的中率を高めるには、吹き筒に吹き込む息の強さやタイミングを、修練によって掴まなければならず、的中率が低いがゆえに、途中で継続する気持ちを無くしてしまい、長続きしないで終わってしまうこともあったが、本考案の回転矢を使用することで的中率が上がるので、おもしろさを覚えて長続きすることが出来、子供達の精神集中力の向上や高齢者の健康維持や健康増進に大いに役立つ。
【図面の簡単な説明】
【図１】本考案の、完成した回転矢の実施例を示す斜視図である。
【図２】風受けを示す斜視図である。
【図３】矢と風受けの位置関係を示す斜視図である。
【図４】回転風受けを示す斜視図である。
【図５】回転羽根を起立させた回転風受けを示す斜視図である。
【図６】風受けの付いた矢に回転風受けの組付けを示す斜視図である。
【図７】円錐矢の吹き筒内壁への接触と矢の曲がりを示す吹き筒断面図である。
【図８】回転矢の回転を示す正面図である。
【図９】回転矢の吹き筒内での様子を示す断面図である。
【図１０】回転矢が吹き筒から放たれる様子を示す斜視図である。
【図１１】一般的な円錐矢を装填した吹き筒断面図である。
【図１２】終端の面取りをした円錐矢の装填を示す吹き筒断面図である。
【図１３】本考案の、回転矢の装填を示す吹き筒断面図である。
【符号の説明】
１  矢
２  押し棒
３  風受け
４  回転羽根
５  回転風受け
６  折り線
７  切り込み
８  吹き筒
９  接触部
１０  曲がり方向
１１  回転方向
【図１】
0003131584.tif 000003
【図２】
0003131584.tif 000004
【図３】
0003131584.tif 000005
【図４】
0003131584.tif 000006
【図５】
0003131584.tif 000007
【図６】
0003131584.tif 000008
【図７】
0003131584.tif 000009
【図８】
0003131584.tif 000010
【図９】
0003131584.tif 000011
【図１０】
0003131584.tif 000012
【図１１】
0003131584.tif 000013
【図１２】
0003131584.tif 000014
【図１３】
0003131584.tif 000015